(57)【要約】【課題】遠距離から近距離無線通信を行なう機器との通信を可能とすること。【解決手段】第１機器１０が前記第１機器１０と無線通信する前記第２機器２０を識別するための識別情報と、前記第１機器１０が前記第２機器２０を認証するための認証情報と、を前記無線通信を行なう経路とは異なるネットワーク５０から受信する受信部４４と、前記識別情報と前記認証情報とを用い、前記第２機器を代理して前記第１機器と無線通信する通信部４２と、を具備する通信装置。【選択図】図２
2011254402.tif 000002
【特許請求の範囲】
【請求項１】
第１機器が前記第１機器と無線通信する第２機器を識別するための識別情報と、前記第１機器が前記第２機器を認証するための認証情報と、を前記無線通信を行なう経路とは異なるネットワークから受信する受信部と、
前記第２機器が前記第１機器と直接無線通信できない場合、前記識別情報と前記認証情報とを用い、前記第２機器を代理して前記第１機器と無線通信する通信部と、
を具備することを特徴とする通信装置。
【請求項２】
前記受信部は、前記第２機器から前記ネットワークを介し前記識別情報と前記認証情報とを受信することを特徴とする請求項１記載の通信装置。
【請求項３】
前記受信部は、前記第２機器から前記識別情報と前記認証情報とを取得した前記第３機器から前記ネットワークを介し前記識別情報と前記認証情報とを受信することを特徴とする請求項１記載の通信装置。
【請求項４】
前記ネットワークとは別の経路を用い、自装置の前記ネットワークのアドレスを前記第２機器に送信することを特徴とする請求項２記載の通信装置。
【請求項５】
前記ネットワークとは別の経路を用い、自装置の前記ネットワークのアドレスを前記第３機器に送信することを特徴とする請求項３記載の通信装置。
【請求項６】
第１機器と無線通信する第１通信部と、
前記第１通信部を用い前記第１機器と直接無線通信できない場合、前記第１機器が自装置を識別するための識別情報と、前記第１機器が自装置を認証するための認証情報と、を前記無線通信を行なう経路とは異なるネットワークから第４機器に送信し、前記第４機器を介し前記第１機器と通信する第２通信部と、
を具備することを特徴とする通信装置。
【請求項７】
第１機器が前記第１機器と無線通信する前記第２機器を識別するための識別情報と、前記第１機器が前記第２機器を認証するための認証情報と、を受信する受信部と、
前記第２機器が前記第１機器と直接無線通信できない場合、前記識別情報と前記認証情報とを用い、前記第４機器を介して前記第１機器と通信する通信部と、
を具備することを特徴とする通信装置。
【請求項８】
第１機器と、
前記第１機器と無線通信する第２機器であって、前記第１機器と直接無線通信できない場合、前記第１機器が前記第２機器を識別するための識別情報と、前記第１機器が前記第２機器を認証するための認証情報と、を前記無線通信を行なう経路とは異なるネットワークから第４機器に送信する第２機器と、
前記第２機器から受信した前記識別情報と前記認証情報とを用い、前記第２機器を代理し前記第１機器と無線通信する第４機器と、
を具備することを特徴とする通信システム。
【請求項９】
第１機器と、
前記第１機器と無線通信する第２機器であって、前記第１機器と直接無線通信できない場合、前記第１機器が前記第２機器を識別するための識別情報と、前記第１機器が前記第２機器を認証するための認証情報と、を前記無線通信を行なう経路とは異なるネットワークから第３機器に送信する第２機器と、
前記第２機器から受信した前記識別情報と前記認証情報とを第４機器に送信する第３機器と、
前記第３機器から受信した前記識別情報と前記認証情報とを用い、前記第３機器を代理し前記第１機器と無線通信する第４機器と、
を具備することを特徴とする通信システム。
【発明の詳細な説明】
【技術分野】
【０００１】
本発明は、通信装置および通信システムに関する。
【背景技術】
【０００２】
近年、電気製品の制御にＢｌｕｅｔｏｏｔｈやＩｒＤＡ（Infrared Data Association）などの近距離無線通信を使用することが広く行われている。近距離無線通信では、近距離間の通信しかできない。このため、近距離無線通信を行なう端末装置を遠隔地にある装置に携帯電話端末を用いて接続することが知られている（例えば特許文献１）。
【０００３】
また、中継装置が、Ｂｌｕｅｔｏｏｔｈを行なう各機器からＢＤ＿ＡＤＤＲ（Bluetooth Device Address）やサービスコードを取得し記憶しておく。携帯電話端末は、中継装置に自分の望む機能を有する機器を問い合わせる技術が知られている（例えば特許文献２）。
【先行技術文献】
【特許文献】
【０００４】
【特許文献１】特開２００８−２７８１７０号公報
【特許文献２】特開２００９−６０１６３号公報
【発明の概要】
【発明が解決しようとする課題】
【０００５】
しかしながら、これまでの通信システムにおいては、例えば、近距離無線通信を行なう機器と近距離で通信し、その後遠距離から同じ機器と通信を行なうことができない。例えば、室内で、家電機器を近距離無線通信を用い操作する。その後、外出先からこの家電機器を操作することができない。
【０００６】
本通信機器および通信システムは、近距離無線通信の通信可能範囲外の場合に、近距離無線通信とは異なるネットワークを経由して通信を行なうことを目的とする。
【課題を解決するための手段】
【０００７】
本発明は、第１機器が前記第１機器と無線通信する前記第２機器を識別するための識別情報と、前記第１機器が前記第２機器を認証するための認証情報と、を前記無線通信を行なう経路とは異なるネットワークから受信する受信部と、前記第２機器が前記第１機器と直接無線通信できない場合、前記識別情報と前記認証情報とを用い、前記第２機器を代理して前記第１機器と無線通信する通信部と、を具備することを特徴とする通信装置である。本発明によれば、本通信装置が通信できない第２機器を代理して第１機器と無線通信を行なうことができる。
【０００８】
上記構成において、前記受信部は、前記第２機器から前記ネットワークを介し前記識別情報と前記認証情報とを受信する構成とすることができる。この構成によれば、本通信装置は第２機器から簡単に識別情報および認証情報を取得することができる。
【０００９】
上記構成において、前記受信部は、前記第２機器から前記識別情報と前記認証情報とを取得した前記第３機器から前記ネットワークを介し前記識別情報と前記認証情報とを受信することができる。この構成によれば、本通信装置は第２機器を介せず簡単に識別情報および認証情報を取得することができる。
【００１０】
上記構成において、自装置の前記ネットワークのアドレスを前記第２機器に送信する構成とすることができる。この構成によれば、本通信装置のネットワークのアドレスが変わっても、第２機器は、本通信装置のアドレスを認識することができる。
【００１１】
上記構成において、自装置の前記ネットワークのアドレスを前記第３機器に送信する構成とすることができる。この構成によれば、本通信装置のネットワークのアドレスが変わっても、第３機器は、本通信装置のアドレスを認識することができる。
【００１２】
本発明は、第１機器と無線通信する第１通信部と、前記第１通信部を用い前記第１機器と直接無線通信できない場合、前記第１機器が自装置を識別するための識別情報と、前記第１機器が自装置を認証するための認証情報と、を前記無線通信を行なう経路とは異なるネットワークから第４機器に送信し、前記第４機器を介し前記第１機器と通信する第２通信部と、を具備することを特徴とする通信装置である。本発明によれば、第４機器が通信できない自装置を代理して第１機器と無線通信を行なうことができる。
【００１３】
本発明は、第１機器が前記第１機器と無線通信する前記第２機器を識別するための識別情報と、前記第１機器が前記第２機器を認証するための認証情報と、を受信する受信部と、前記第２機器が前記第１機器と直接無線通信できない場合、前記識別情報と前記認証情報とを用い、前記第４機器を介して前記第１機器と通信する通信部と、を具備することを特徴とする通信装置である。本発明によれば、第４機器が通信できない自装置を代理して第１機器と無線通信を行なうことができる。
【００１４】
本発明は、第１機器と、前記第１機器と無線通信する第２機器であって、前記第１機器と直接無線通信できない場合、前記第１機器が前記第２機器を識別するための識別情報と、前記第１機器が前記第２機器を認証するための認証情報と、を前記無線通信を行なう経路とは異なるネットワークから第４機器に送信する第２機器と、前記第２機器から受信した前記識別情報と前記認証情報とを用い、前記第２機器を代理し前記第１機器と無線通信する第４機器と、を具備することを特徴とする通信システムである。本発明によれば、第４機器が通信できない第２機器を代理して第１機器と無線通信を行なうことができる。
【００１５】
本発明は、第１機器と、前記第１機器と無線通信する第２機器であって、前記第１機器と直接無線通信できない場合、前記第１機器が前記第２機器を識別するための識別情報と、前記第１機器が前記第２機器を認証するための認証情報と、を前記無線通信を行なう経路とは異なるネットワークから第３機器に送信する第２機器と、前記第２機器から受信した前記識別情報と前記認証情報とを第４機器に送信する第３機器と、前記第３機器から受信した前記識別情報と前記認証情報とを用い、前記第３機器を代理し前記第１機器と無線通信する第４機器と、を具備することを特徴とする通信システムである。本発明によれば、第４機器が通信できない第２機器を代理して第１機器と無線通信を行なうことができる。
【発明の効果】
【００１６】
本通信機器および通信システムによれば、近距離無線通信の通信可能範囲外の場合に、近距離無線通信とは異なるネットワークを経由してを行なうことができる。
【図面の簡単な説明】
【００１７】
【図１】図１は、実施例１に係る通信システムを示すブロック図である。
【図２】図２は、実施例１に係る通信システムを示す別のブロック図である。
【図３】図３は、第２機器の制御部の動作を示すフローチャートである。
【図４】図４は、第１機器と第２機器との動作を示すシーケンス図である。
【図５】図５は、第１機器、第２機器および第４機器の動作を示すシーケンス図である。
【図６】図６は、実施例２に係る通信システムのブロック図である。
【図７】図７は、実施例２に係る通信システムを示す別のブロック図である。
【図８】図８は、第１機器、第２機器、第３機器および第４機器の動作を示すシーケンス図である。
【図９】図９は、実施例３に係る通信システムのブロック図である。
【図１０】図１０は、実施例３に係る通信システムのシーケンス図である。
【図１１】図１１は、実施例３に係る通信システムの別のシーケンス図である。
【発明を実施するための形態】
【００１８】
以下、図面を参照し、実施例について説明する。
【実施例１】
【００１９】
図１は、実施例１に係る通信システムを示すブロック図である。図１は、第１機器１０と第２機器２０とが近距離無線通信を行なう場合を示している。近距離無線通信としては、例えばＢｌｕｅｔｏｏｔｈ等の電波を用いた通信、ＩｒＤＡ等の光を用いた通信がある。本実施例では、主にＢｌｕｅｔｏｏｔｈを用いた無線通信を例に説明する。通信システム１００は第１機器１０と第２機器２０とを備えている。第１機器１０は、室内の機器であり、例えば家電機器に備えられた機器等である。第２機器２０は第１機器１０を操作する機器であり、例えばリモコンである。第１機器１０は、アンテナ１１、通信部１２、制御部１６および記憶部１８を備えている。通信部１２は、例えばＢｌｕｅｔｏｏｔｈ用の無線機器であり、アンテナ１１を介し、第２機器２０と通信を行なう。制御部１６は、例えばＣＰＵ（Central Processing Unit）であり、通信部１２を制御する。また、第２機器２０からの情報に基づき家電等の機能を制御する。記憶部１８は、例えば揮発性メモリおよび不揮発性メモリである。記憶部１８は、識別情報および認証情報を記憶する。識別情報は、例えば第１機器１０のＢＤ＿ＡＤＤＲまたはＭＡＣ（Media Access Control）アドレス等のアドレスである。認証情報は、第１機器１０が第２機器２０と通信するためのセキュリティ関係の情報である。例えば第２機器２０にデータを送信する場合にデータを暗号化するための鍵および第２機器２０から受信したデータを復号化する鍵である。
【００２０】
第２機器２０は、アンテナ２１、第１通信部２２およびホスト機器２３を備えている。第１通信部２２は、例えば第１機器１０と通信するＢｌｕｅｔｏｏｔｈモジュールである。第１通信部２２は、記憶部２５を備えている。記憶部２５は、識別情報および認証情報を記憶する。識別情報は、例えば第２機器２０のＢＤ＿ＡＤＤＲまたはＭＡＣアドレス等のアドレスである。認証情報は、第２機器２０が第１機器１０と通信するためのセキュリティ関係の情報である。例えば第１機器１０にデータを送信する場合にデータを暗号化するための鍵および第１機器１０から受信したデータを復号化する鍵である。
【００２１】
ホスト機器２３は、第２通信部２４、制御部２６および記憶部２８を備えている。第２通信部２４は、例えばネットワークと接続するＬＡＮ（Local Area Network）インターフェースである。制御部２６は、例えばＣＰＵであり、第１通信部２２を制御する。また、制御部２６は、第２通信部２４を制御する。記憶部２８は、例えば揮発性メモリおよび不揮発性メモリである。記憶部２８は、識別情報および認証情報を記憶する。ホスト機器２３は、例えばコンピュータであり、モジュールである第１通信部２２とＵＡＲＴ（Universal Asynchronous Receiver-Transceiver）、ＵＳＢ(Universal Serial Bus)、ＳＤＩＯ（Secure Digital Input/Output）等のインターフェースを用い通信してもよい。また、第２機器２０は、第１通信部２２とホスト機器２３とが一体となった機器、例えばリモコン等でもよい。
【００２２】
図２は、実施例１に係る通信システムを示す別のブロック図である。図２は、第２機器２０が第１機器１０と直接近距離無線通信できない場合、第２機器２０がネットワークを介し、第４機器４０に識別情報および認証情報を送信し、第４機器４０が第２機器２０の代理として第１機器１０と通信する例である。例えば、リモコンを室外に持ち出した場合である。
【００２３】
図２のように、通信システム１００は、第１機器１０および第２機器２０に加え第４機器４０を備えている。第４機器４０は、例えば第１機器１０と同じ室内に配置されている。第４機器４０は、アンテナ４１、第１通信部４２、第２通信部４４、制御部４６および記憶部４８を備えている。第１通信部４２は、例えばＢｌｕｅｔｏｏｔｈ用の無線機器であり、アンテナ４１を介し、第１機器１０と通信を行なう。第２通信部４４は、例えばネットワーク５０と接続するＬＡＮインターフェースである。制御部４６は、例えばＣＰＵであり、第１通信部４２および第２通信部４４を制御する。記憶部４８は、例えば揮発性メモリおよび不揮発性メモリである。記憶部４８は、第２機器２０から得た識別情報および認証情報を記憶する。
【００２４】
第２機器２０の第２通信部２４と第４機器４０の第２通信部４４はネットワーク５０を介して通信可能である。ネットワーク５０は、例えばＬＡＮ（例えばＩＥＥＥ８０２．３で規定されたイーサネット（登録商標）／ＬＡＮ）、無線ＬＡＮ（例えばＩＥＥＥ８０２．１１で規定された無線ＬＡＮ）または携帯電話を用いたネットワークである。
【００２５】
図３は、第２機器２０の制御部２６の動作を示すフローチャートである。図３のように、制御部２６は、第１通信部２２を用い第１機器１０との通信が可能かを判断する（ステップＳ１０）。Ｙｅｓの場合、制御部２６は、第２機器２０に第１通信部２２を用い第１機器１０と通信させる（ステップＳ１２）。ステップＳ１０においてＮｏの場合、制御部２６は、識別情報および認証情報を第４機器４０に送信する（ステップＳ１４）。制御部２６は、第２機器２０に第４機器４０を介し第１機器１０と通信させる（ステップＳ１６）。このように、第２機器２０は、近距離無線通信が不可能な場合、ネットワーク５０を介し、第４機器４０を代理とし第１機器１０と通信する。
【００２６】
図４は、第１機器１０と第２機器２０との動作を示すシーケンス図である。図３のステップＳ１０においてＹｅｓであった場合のシーケンス図である。第２機器２０は、Ｉｎｑｕｒｉｔｙ（デバイス検索）を行なう（ステップＳ２０）。第１機器１０は、Ｉｎｑｕｒｉｔｙの応答として第１機器１０のアドレス（例えばＢＤ＿ＡＤＤＲ）を第２機器２０に通知する（ステップＳ２２）第２機器２０は第１機器１０に接続要求する（ステップＳ２４）。第１機器１０は第２機器２０に認証情報を要求する（ステップＳ２６）。第２機器２０は第１機器１０に認証情報である鍵で暗号化した認証情報応答を行なう（ステップＳ２８）。第１機器１０は、認証情報が正規であれば、第２機器２０に接続を許可する（ステップＳ３０）。このように、第１機器１０と第２機器２０との間の認証を行なう。その後、第１機器１０と第２機器２０とは通信を行なう（ステップＳ３２）。
【００２７】
図５は、第１機器１０、第２機器２０および第４機器４０の動作を示すシーケンス図である。図３のステップＳ１０においてＮｏであった場合のシーケンス図である。第２機器２０のホスト機器２３は第１通信部２２の記憶部２５から第２機器２０の識別情報を取得する。第２機器２０の制御部２６は、ネットワーク５０を介し、第４機器４０に識別情報の設定を要求する（ステップＳ４０）。例えば、第２機器２０は、第２機器２０のＢＤ＿ＡＤＤＲ等またはＭＡＣアドレス等を識別情報として第４機器４０に送信する。第４機器４０の制御部４６は、第２機器２０の識別情報を自己の識別情報として記憶部４８に記憶する。第４機器４０は第２機器２０に識別情報の設定の完了を通知する（ステップＳ４２）。
【００２８】
第２機器２０は第４機器４０にネットワーク５０を介しデバイス検索を指示する（ステップＳ４４）。第４機器４０は、第２機器２０の識別情報を用いデバイス検索を行なう（ステップＳ４６）。第１機器１０には、第２機器２０がデバイス検索してきたようにみえる。そこで、第１機器１０は、第４機器４０にアドレスを通知する（ステップＳ４８）。第４機器４０は、第２機器２０にネットワークを介し第１機器１０のアドレスを通知する（ステップＳ５０）。第２機器２０は、ネットワークを介し第１機器に接続要求を指示する（ステップＳ５２）。第４機器４０は、第２機器２０に代わり第１機器１０に接続要求する（ステップＳ５４）。
【００２９】
第１機器１０は、第２機器２０の代理の第４機器４０に認証情報を要求する（ステップＳ５６）。第４機器４０は、ネットワーク５０を介し第２機器２０に認証情報を要求する（ステップＳ５８）。第２機器２０は、第４機器４０に認証情報を送信する（ステップＳ６０）。認証情報は、第１機器１０に送信するデータを暗号化する鍵および第１機器１０から受信したデータを復号化する鍵である。第２機器２０は、認証情報応答を第４機器４０に送信する（ステップＳ６２）。第４機器４０は、認証情報である鍵を用い、認証情報応答を暗号化し、第１機器１０に送信する（ステップＳ６４）。第１機器１０は、第４機器４０からの認証情報応答が正規のものであると判断すると、第４機器４０に接続の許可を通知する（ステップＳ６６）。第４機器４０は、第２機器２０に接続許可を通知する（ステップＳ６８）。その後、第１機器１０と第２機器２０とは第４機器４０を介して通信を行なう（ステップＳ７０）。
【００３０】
実施例１によれば、第２機器２０が第１通信部２２を用い第１機器１０と無線通信できない場合（図３のステップＳ１０においてＹｅｓの場合）、第１機器１０が第２機器２０を識別するための識別情報と、第１機器１０が第２機器２０を認証するための認証情報と、を無線通信を行なう経路とは異なるネットワーク５０から第４機器４０に送信する（図３のステップＳ１４、図５のステップＳ４０、Ｓ６０）。第２機器２０が第１機器１０と直接無線通信できない場合、第４機器４０は、第２機器２０から受信した識別情報と認証情報とを用い、第２機器２０を代理し第１機器１０と無線通信する（図３のステップＳ１６および図５のステップＳ７０）。これにより、第２機器２０は、遠距離から第４機器４０を介し第１機器１０との通信が可能となる。
【００３１】
上記のように動作するため、第２機器２０（通信装置）は、第１機器１０と無線通信する第１通信部２２と、第１通信部２２を用い第１機器１０と直接無線通信できない場合、識別情報と認証情報とを無線通信を行なう経路とは異なるネットワークから第４機器４０に送信し、第４機器４０を介し第１機器１０と通信する第２通信部２４と、を有している。
【００３２】
さらに、第４機器（通信装置）は、識別情報と認証情報とを無線通信を行なう経路とは異なるネットワーク５０から受信する第２通信部４４（受信部）と、第２機器２０が第１機器１０と直接無線通信できない場合、識別情報と認証情報とを用い、第２機器２０を代理して第１機器１０と無線通信する第１通信部（通信部）と、を有している。
【００３３】
例えば、第２通信部４４は、第２機器２０からネットワークを介し識別情報と認証情報とを受信することができる。これにより、第４機器４０は第２機器２０から簡単に識別情報および認証情報を取得することができる。
【実施例２】
【００３４】
実施例２は、通信システムが第３機器を有する例である。図６は、実施例２に係る通信システムのブロック図である。図６のように、通信システム１０１は第１機器１０、第２機器２０および第４機器４０（第４機器４０は不図示）に加え第３機器３０を備えている。第１機器１０および第２機器２０の構成は実施例１と同じであり説明を省略する。第３機器３０は、アンテナ３１、第１通信部３２、第２通信部３４、制御部３６および記憶部３８を備えている。第１通信部３２は、第２機器２０から識別情報および認証情報を取得する。第１通信部３２は、例えば、ＬＡＮ、無線ＬＡＮネットワーク、携帯電話端末を用いたネットワーク、ＵＳＢまたはＳＤカード等を用い直接識別情報および認証情報を取得する。第２通信部３４は、例えばネットワークと接続するＬＡＮインターフェースである。制御部３６は、例えばＣＰＵであり、第１通信部３２および第２通信部３４を制御する。記憶部３８は、例えば揮発性メモリおよび不揮発性メモリである。記憶部３８は、第２機器２０から得た識別情報および認証情報を記憶する。第３機器３０は、例えば、室外に携行する携帯電話端末等である。
【００３５】
図７は、実施例２に係る通信システムを示す別のブロック図である。図７は、第２機器２０が第１機器１０と直接近距離無線通信できない場合、第３機器３０がネットワーク５０を介し、第４機器４０に識別情報および認証情報を送信し、第４機器４０が第２機器２０の代理として第１機器１０と通信する例である。例えば、携帯電話を用い室外から第１機器１０と通信する例である。
【００３６】
図７のように、第１機器１０、第４機器４０およびネットワーク５０は実施例１と同じ構成であり、第３機器３０は図６と同じ構成であるため説明を省略する。第３機器３０の第２通信部３４と第４機器４０の第２通信部４４とがネットワーク５０を介し接続されている。
【００３７】
図８は、第１機器１０、第２機器２０、第３機器３０および第４機器４０の動作を示すシーケンス図である。第３機器３０は第２機器２０から識別情報および認証情報を取得する（ステップＳ８０）。例えば、外出する際に、リモコンである第２機器２０から携帯電話である第３機器３０に識別情報および認証情報を送信する。ステップＳ４０からステップＳ７０は、実施例１の図５の第２機器２０が第３機器３０に置き換わった以外は図５と同じであり説明を省略する。
【００３８】
実施例２によれば、図８のステップＳ８０のように、第２機器２０が第１機器１０が第２機器２０を識別するための識別情報と、第１機器１０が第２機器２０を認証するための認証情報と、を第３機器３０に送信する。第３機器３０は、図８のステップＳ４０およびＳ６０のように、第２機器２０から受信した識別情報と認証情報とを第４機器４０に送付する。図８のステップＳ７０のように、第４機器４０は、第３機器３０から受信した識別情報と認証情報とを用い、第３機器３０を代理し第１機器１０と無線通信する。実施例２のように、第１機器１０と近距離無線通信する第２機器２０と、遠隔地から第１機器１０と通信する第３機器３０は別でもよい。これにより、第４機器４０は第２機器２０を介せず簡単に識別情報および認証情報を取得することができる。
【００３９】
上記のように動作するため、第３機器３０は、識別情報と認証情報とを受信する第１通信部３２（受信部）と、第２機器２０が第１機器１０と直接無線通信できない場合識別情報と認証情報とを用い第４機器４０を介して第１機器１０と通信する第２通信部（通信部）と、を有している。
【００４０】
実施例１および実施例２において、認証情報として、第１機器１０および第２機器２０が暗号化および復号化する鍵を有しているリンクキー方式を例に説明した。認証情報は、初回接続時にＰＩＮコードを用い鍵を生成するＰＩＮコード方式におけるＰＩＮコードでもよい。
【実施例３】
【００４１】
実施例３は、第３機器３０または第２機器２０が第４機器４０とインターネットネットワークを介し接続される例である。図９は、実施例３に係る通信システムのブロック図である。第４機器４０はルータ５２、プロバイダサーバ５４、ネットワーク５０を介し第３機器３０と接続されている。なお、以降、第３機器３０は第２機器２０でもよい。ネットワーク５０には専用サーバ５６が接続されている。
【００４２】
図１０は、実施例３に係る通信システムのシーケンス図である。ルータ５２がプロバイダサーバ５４に接続要求する（ステップＳ１００）。プロバイダサーバ５４はルータ５２に接続完了を通知する（ステップＳ１０２）。プロバイダサーバ５４は、ルータ５２にグローバルＩＰ（Internet Protocol）アドレスを割り当てる（ステップＳ１０４）。ルータ５２は第４機器４０にプライベートＩＰアドレスを割り当てる（ステップＳ１０６）。第４機器４０は専用サーバ５６にＩＰアドレスを格納させる（ステップＳ１０８）。第３機器３０は、専用サーバ５６にＩＰアドレスを要求する（ステップＳ１１０）。専用サーバ５６は第３機器３０に格納している第４機器４０のＩＰアドレスを送付する（ステップＳ１１２）。これにより、第３機器３０は第４機器４０のＩＰアドレスを認識することができ、第３機器３０と第４機器４０との間で識別情報および認証情報の送受信が可能となる（ステップＳ１２０）。
【００４３】
図１１は、実施例３に係る通信システムの別のシーケンス図である。図１１のように、この例では専用サーバは用いない。ステップＳ１００からステップＳ１０６までは、図１０と同じであり説明を省略する。ステップＳ１１４において、第４機器４０は、第３機器３０に電子メールでＩＰアドレスを送信する（ステップＳ１１４）。これにより、第３機器３０は第４機器４０のＩＰアドレスを認識することができ、第３機器３０と第４機器４０との間で識別情報および認証情報の送受信可能となる（ステップＳ１２０）。
【００４４】
例えばインターネットネットワークを用い、第２機器２０または第３機器３０と第４機器４０とを接続する場合、第４機器４０のＩＰアドレスは毎回異なる場合がある。この場合、第２機器２０または第３機器３０は第４機器４０にアクセスできない。そこで、実施例３のように、第４機器４０は、別の経路（例えば専用サーバまたは電子メール）を用い、自装置のネットワークのアドレスを第２機器２０または第３機器３０に送信する。これにより、第４機器４０のＩＰアドレスが毎回変わっても、第２機器２０または第３機器３０は、第４機器４０のＩＰアドレスを認識することができる。
【００４５】
以上、本発明の実施例について詳述したが、本発明は係る特定の実施例に限定されるものではなく、特許請求の範囲に記載された本発明の要旨の範囲内において、種々の変形・変更が可能である。
【符号の説明】
【００４６】
１０    第１機器
１２    通信部
２０    第２機器
２２    第１通信部
２４    第２通信部
３０    第３機器
３２    第１通信部
３４    第２通信部
４０    第４機器
４２    第１通信部
４４    第２通信部
５０    ネットワーク
【図１】
2011254402.tif 000003
【図２】
2011254402.tif 000004
【図３】
2011254402.tif 000005
【図４】
2011254402.tif 000006
【図５】
2011254402.tif 000007
【図６】
2011254402.tif 000008
【図７】
2011254402.tif 000009
【図８】
2011254402.tif 000010
【図９】
2011254402.tif 000011
【図１０】
2011254402.tif 000012
【図１１】
2011254402.tif 000013